(57)【要約】【課題】化合物の発見以降の新薬開発の工程を効率的におこなうようにすることで、効果的な新薬開発を支援すること。【解決手段】既知または未知の、化合物または生体高分子の構造情報の入力を受け付ける化合物／生体高分子構造情報入力部２０１と、複数のタンパク質の活性部位に関する情報を含む構造情報をタンパク質情報ＤＢ２００から入力するタンパク質情報入力部２０２と、それらの構造情報に基づいて、化合物または生体高分子とタンパク質とのドッキングに関する情報を、タンパク質ごとに算出するタンパク質−化合物／高分子ドッキング評価部２０３と、算出されたドッキングに関する情報を出力するドッキング情報出力部２０４と、を備える。【選択図】      図２
2004152029.tif 000002
【特許請求の範囲】
【請求項１】
既知または未知の、化合物または生体高分子の構造情報を入力する第１の入力工程と、
複数のタンパク質の活性部位に関する情報を含む構造情報を入力する第２の入力工程と、
前記第１の入力工程によって入力された構造情報と、前記第２の入力工程によって入力された構造情報とに基づいて、前記化合物または生体高分子と前記タンパク質とのドッキングに関する評価値を、前記タンパク質ごとに算出する算出工程と、
前記算出工程によって算出されたドッキングに関する評価値を含むドッキング情報を出力するドッキング情報出力工程と、
を含むことを特徴とする機能予測支援方法。
【請求項２】
前記ドッキング情報出力工程は、前記算出工程によって算出された評価値に基づいて、前記化合物または生体高分子と結合する候補となるタンパク質のドッキング情報を一覧出力することを特徴とする請求項１に記載の機能予測支援方法。
【請求項３】
さらに、前記化合物または生体高分子が代謝された場合の構造を予測する予測工程を含み、
前記第１の入力工程は、前記化合物または生体高分子の構造情報として、前記予測工程によって予測された構造に関する情報を入力することを特徴とする請求項１または２に記載の機能予測支援方法。
【請求項４】
既知または未知の、化合物または生体高分子の構造情報を入力させる第１の入力工程と、
複数のタンパク質の活性部位に関する情報を含む構造情報を入力させる第２の入力工程と、
前記第１の入力工程によって入力された構造情報と、前記第２の入力工程によって入力された構造情報とに基づいて、前記化合物または生体高分子と前記タンパク質とのドッキングに関する情報を、前記タンパク質ごとに算出させる算出工程と、
前記算出工程によって算出されたドッキングに関する情報を出力させるドッキング情報出力工程と、
をコンピュータに実行させることを特徴とする機能予測支援プログラム。
【請求項５】
既知または未知の、化合物または生体高分子の構造情報の入力を受け付ける第１の入力手段と、
複数のタンパク質の活性部位に関する情報を含む構造情報の入力を受け付ける第２の入力手段と、
前記第１の入力手段によって入力が受け付けられた構造情報と、前記第２の入力手段によって入力が受け付けられた構造情報とに基づいて、前記化合物または生体高分子と前記タンパク質とのドッキングに関する情報を、前記タンパク質ごとに算出する算出手段と、
前記算出手段によって算出されたドッキングに関する情報を出力するドッキング情報出力手段と、
を備えたことを特徴とする機能予測支援装置。
【発明の詳細な説明】
【０００１】
【発明の属する技術分野】
この発明は、製薬業の新薬開発部門において、新規薬物候補となる化合物（リード化合物と呼ばれることがある）を発見した際に、化合物あるいは化合物の誘導体の薬効、作用機序および副作用を予測するための情報を生成する機能予測支援方法、機能予測支援プログラム、および機能予測支援装置に関する。
【０００２】
【従来の技術】
近年の遺伝子工学の進歩に伴い、ゲノム情報によって、創薬標的物質が発見される速度が速くなってきている。製薬企業はそれらの標的物質と結合して反応を速める物質や阻止する物質をより早く見つけるために、タンパク質の立体構造に注目している。
【０００３】
従来、新規薬物の候補となるような化合物を発見した場合は、当該化合物の薬理活性試験、あるいは標的タンパク質の立体構造がわかっている場合は、当該タンパク質とのドッキングスタディをおこない、その効果を確認し、以降の工程に進んでいた。
【０００４】
【発明が解決しようとする課題】
しかしながら、上記の従来技術にあっては、化合物が標的とすると考えられる生体分子（主にタンパク質）との作用の解析のみに限局され、標的タンパク質以外のタンパク質に作用することが看過されるおそれがある。そのため、新薬の開発工程が進み、非臨床あるいは臨床試験に臨んで重篤な副作用が発見され、その結果それまで投入した開発コストがすべて無駄になってしまうという問題点があった。また、タンパク質の種類が膨大にあるため、それらの膨大な種類のタンパク質との作用を確認するには、多くの時間と労力が必要であった。
【０００５】
また、化合物が標的タンパク質に特異性を持っていたとしても、その作用部位が当該タンパク質にいくつかある活性部位の一つであり、必ずしも最適な活性を発揮する部位であるとは限らない場合がある。そのため、より効果の高い薬物開発の機会を逃してしまうという問題点があった。
【０００６】
この発明は上記問題を解決するため、化合物の発見以降の新薬開発の工程を効率的におこなうようにすることで、効果的な新薬開発を支援することが可能な機能予測支援方法、機能予測支援プログラム、機能予測支援装置を提供することを目的とする。
【０００７】
【課題を解決するための手段】
上述した課題を解決し、目的を達成するため、この発明にかかる機能予測支援方法、機能予測支援プログラムおよび機能予測支援装置は、既知または未知の、化合物または生体高分子の構造情報を入力し、複数のタンパク質の活性部位に関する情報を含む構造情報を入力し、入力された化合物または生体高分子の構造情報と、タンパク質の構造情報とに基づいて、前記化合物または生体高分子と前記タンパク質とのドッキングに関する評価値を、前記タンパク質ごとに算出し、算出されたドッキングに関する評価値を含むドッキング情報を出力することを特徴とする。
【０００８】
これらの発明によれば、従来の化合物の評価に当たって問題となる、タンパク質間の特異性およびタンパク質内の活性部位の特異性（機能に対応して複数ありうる）を迅速かつ効率的に検証することができる。
【０００９】
【発明の実施の形態】
以下に添付図面を参照して、この発明にかかる機能予測支援方法、機能予測支援プログラムおよび機能予測支援装置の好適な実施の形態を詳細に説明する。
【００１０】
（機能予測支援装置のハードウエア構成）
まず、この発明の本実施の形態にかかる機能予測支援装置のハードウエア構成について説明する。図１は、この発明の本実施の形態にかかる機能予測支援装置のハードウエア構成の一例を示すブロック図である。
【００１１】
図１において、機能予測支援装置は、ＣＰＵ１０１と、ＲＯＭ１０２と、ＲＡＭ１０３と、ＨＤＤ１０４と、ＨＤ１０５と、ＦＤＤ（フレキシブルディスクドライブ）１０６と、着脱可能な記録媒体の一例としてのＦＤ（フレキシブルディスク）１０７と、ディスプレイ１０８と、Ｉ／Ｆ（インタフェース）１０９と、キーボード１１１と、マウス１１２と、スキャナ１１３と、プリンタ１１４と、を備えている。また、各構成部はバス１００によってそれぞれ接続されている。
【００１２】
ここで、ＣＰＵ１０１は、機能予測支援装置の全体の制御を司る。ＲＯＭ１０２は、ブートプログラムなどのプログラムを記憶している。ＲＡＭ１０３は、ＣＰＵ１０１のワークエリアとして使用される。ＨＤＤ１０４は、ＣＰＵ１０１の制御にしたがってＨＤ１０５に対するデータのリード／ライトを制御する。ＨＤ１０５は、ＨＤＤ１０４の制御で書き込まれたデータを記憶する。
【００１３】
ＦＤＤ１０６は、ＣＰＵ１０１の制御にしたがってＦＤ１０７に対するデータのリード／ライトを制御する。ＦＤ１０７は、ＦＤＤ１０６の制御で書き込まれたデータを記憶したり、ＦＤ１０７に記録されたデータを情報処理装置へ読み取らせたりする。着脱可能な記録媒体として、ＦＤ１０７のほか、ＣＤ−ＲＯＭ（ＣＤ−Ｒ、ＣＤ−ＲＷ）、ＭＯ、ＤＶＤ（Ｄｉｇｉｔａｌ  ＶｅｒｓａｔｉｌｅＤｉｓｋ）、メモリーカードなどであってもよい。ディスプレイ１０８は、カーソル、アイコンあるいはツールボックスをはじめ、文書、画像、機能情報などのデータを表示する。たとえば、ＣＲＴ、ＴＦＴ液晶ディスプレイ、プラズマディスプレイなどである。
【００１４】
Ｉ／Ｆ（インタフェース）１０９は、通信回線を通じてＬＡＮやインターネットなどのネットワーク１１０に接続され、ネットワーク１１０を介して、データベースなどを備えた他のサーバーや情報処理装置に接続される。そして、Ｉ／Ｆ１０９は、ネットワーク１１０と内部とのインタフェースを司り、他のサーバーや情報端末装置からのデータの入出力を制御する。Ｉ／Ｆ１０９は、たとえばモデムなどである。
【００１５】
キーボード１１１は、文字、数字、各種指示などの入力のためのキーを備え、データの入力をおこなう。タッチパネル式の入力パッドやテンキーなどであってもよい。マウス１１２は、カーソルの移動や範囲選択、あるいはウインドウの移動やサイズの変更などをおこなう。ポインティングデバイスとして同様の機能を備えるものであれば、トラックボール、ジョイスティックなどであってもよい。
【００１６】
スキャナ１１３は、ドライバ画像などの画像を光学的に読み取り、情報処理装置内に画像データを取り込む。さらにＯＣＲ機能も備えており、ＯＣＲ機能によって、印刷された情報を読み取ってデータ化することもできる。また、プリンタ１１４は、画像データや文書データを印刷する。たとえば、レーザプリンタ、インクジェットプリンタなどである。
【００１７】
（機能予測支援装置の機能的構成）
つぎに、この発明の本実施の形態にかかる機能予測支援装置の機能的構成について説明する。図２および図３は、この発明の本実施の形態にかかる機能予測支援装置の機能的構成を示す説明図である。
【００１８】
図２において、２００はタンパク質情報データベース（ＤＢ）であり、２０１は、化合物／生体高分子構造情報入力部であり、２０２はタンパク質情報入力部であり、２０３はタンパク質−化合物／高分子ドッキング評価部であり、２０４はドッキング情報出力部である。
【００１９】
ここで、タンパク質情報ＤＢ２００は、ドッキングの対象となる多数のタンパク質に関する情報（タンパク質立体構造およびその活性部位の情報を含む）が格納されている。格納対象のタンパク質としては、創薬ターゲットあるいは毒性・副作用にかかわるものを中心にできる限り広範囲なものとする。また、ドッキングに必要な情報として、活性部位のタンパク質上の領域の情報があり、さらに、静電ポテンシャルおよび疎水性領域があってもよい。なお、タンパク質情報ＤＢ２００の詳細については、図７、図８を用いて後述する。
【００２０】
また、化合物／生体高分子構造情報入力部２０１は、ドッキングの対象となる、既知または未知の、化合物または生体高分子の立体構造に関する情報を入力する。すなわち、未知の化合物でもよく、また既知の化合物でもよい。未知の化合物の場合は、それをドッキングさせることによって、その未知の化合物の機能予測をすることができる。また、既知の化合物の場合は、それをドッキングさせることによって、既知・未知の生体高分子の機能予測をすることができるようになる。また、化合物の代わりに生体高分子でもよい。そして、その生体高分子も、既知の生体高分子、未知の生体高分子のいずれであってもよい。
【００２１】
化合物／生体高分子構造情報入力部２０１は、具体的には、たとえば図１に示したＩ／Ｆ１０９あるいは、キーボード１１１、マウス１１２、スキャナ１１３などによってその機能を実現することができる。
【００２２】
また、タンパク質情報入力部２０２は、タンパク質情報ＤＢ２００に格納された複数のタンパク質の活性部位に関する情報を含む立体構造を所定数ごとに順次入力する。タンパク質情報入力部２０２は、タンパク質情報ＤＢ２００がネットワーク１１０を介して接続されている場合に、Ｉ／Ｆ１０９によってその機能を実現する。
【００２３】
また、タンパク質−化合物／高分子ドッキング評価部２０３は、化合物／生体高分子構造情報入力部２０１によって入力された化合物または生体高分子の立体構造に関する情報と、タンパク質情報入力部２０２によって入力されたタンパク質の立体構造および活性部位に関する情報を含むタンパク質情報とに基づいて、化合物または生体高分子とタンパク質とのドッキングに関する評価値を、タンパク質ごとに算出する。評価値を計算するに当たり、たとえば、各種エネルギー計算をし、それらの計算結果に基づいて評価値を算出する。そして、適合性評価関数を用いて、評価値を算出する。
【００２４】
具体的な算出方法としては、たとえば、分子力学計算を用いておこなわれる。すなわち、基準となる結合長、結合角、ねじれ角および非結合相互作用からのひずみとして、分子の全立体エネルギーを算出することができる。タンパク質−化合物／高分子ドッキング評価部２０３は、具体的には、たとえば、図１に示すＲＯＭ１０２、ＲＡＭ１０３、ＨＤ１０５あるいはＦＤ１０７に記憶されたプログラムをＣＰＵ１０１が実行することによってそれらの機能を実現する。
【００２５】
また、ドッキング情報出力部２０４は、タンパク質−化合物／高分子ドッキング評価部２０３によって算出されたドッキングに関する評価値を含むドッキング情報を出力する。また、ドッキング情報出力部２０４は、タンパク質−化合物／高分子ドッキング評価部２０３によって算出された評価値に基づいて、化合物または生体高分子と結合する候補となるタンパク質のドッキング情報を、たとえば、図４に示すように、一覧出力する。すなわち、評価関数を基にスコア付けし、対象となる化合物と結合する候補と考えられるタンパク質およびその活性部位の一覧を出力する。
【００２６】
図４において、各タンパク質には、「Ｂｉｎｄｉｎｇ  ｄｏｍａｉｎ」という化合物との結合部位があり、たとえば、Ｎｏ．６とＮｏ．７では、同じタンパク質であるが、結合部位が異なるので、別々に評価して一覧表示する。化合物の作用予測用の評価値として、「Ｅｖａｌｕａｔｉｏｎ  Ｖａｌｕｅ」を用いる。ただし、ここでは実際の結合エネルギーの値ではなく、結合エネルギー値を考慮して算出した値である。
【００２７】
さらに、ドッキング情報出力部２０４は、上記ドッキング情報とともに、対象となる化合物が結合する候補となったタンパク質が化合物と結合することによって、どのような作用を発生するかを利用者が判断するために、付帯情報を出力する。付帯情報とは、タンパク質の毒性または副作用に関する情報を含むアノテーション情報、既知結合化合物情報、パスウエイ情報、文献情報などである。
【００２８】
出力の具体例としては、たとえば、「薬理作用ＤおよびＫにかかわるタンパク質、また代謝物Ｑに関係するタンパク質と結合する可能性あり」との内容からなる。
【００２９】
ドッキング情報出力部２０４は、具体的にはたとえば図１に示したＦＤ１０７およびＦＤＤ１０６、Ｉ／Ｆ１０９などによって外部へ出力することができる。また、プリンタ１１４などによって印刷させることもでき、さらに、ディスプレイ１０８などによって表示させるようにすることもできる。
【００３０】
また、図３において、３００は代謝反応情報データベース（ＤＢ）であり、３０１は代謝生成物予測部である。なお、その他の構成部は図２と同じであり、同一の符号を付しているため、それらの説明は省略する。
【００３１】
ここで、代謝反応情報ＤＢ３００は、化合物／生体高分子構造情報入力部２０１によって入力された化合物／生体高分子の代謝反応に関する情報を格納する。
【００３２】
また、代謝生成物予測部３０１は、化合物／生体高分子構造情報入力部２０１によって入力された化合物／生体高分子が代謝された場合の構造を、代謝反応情報ＤＢ３００に格納された情報に基づいて予測する。すなわち、化合物が生物個体に投与された場合、体内での代謝作用により構造が変化する場合があり、そのため、対象となる化合物が代謝された場合の構造を予測する。そして、化合物／生体高分子構造情報入力部２０１は、化合物または生体高分子の構造情報として、代謝生成物予測部３０１によって予測された構造に関する情報を入力する。
【００３３】
代謝生成物予測部３０１は、具体的には、たとえば、図１に示すＲＯＭ１０２、ＲＡＭ１０３、ＨＤ１０５あるいはＦＤ１０７に記憶されたプログラムをＣＰＵ１０１が実行することによってそれらの機能を実現する。
【００３４】
（機能予測支援装置の処理手順）
つぎに、機能予測支援装置の処理の手順について説明する。図５は、この発明の本実施の形態にかかる機能予測支援装置の処理の手順を示すフローチャートである。
【００３５】
図５のフローチャートにおいて、まず、化合物あるいは生体高分子の三次元立体構造に関する情報を機能予測支援装置に入力する（ステップＳ５０１）。つぎに、タンパク質情報ＤＢ２００に複数格納されているタンパク質に関する情報のうち、最初のタンパク質に関する情報をタンパク質情報ＤＢ２００から抽出し、入力する（ステップＳ５０２）。つぎに、入力された情報の中から、最初の活性部位に関する情報を抽出する（ステップＳ５０３）。そして、抽出された活性部位に関する情報に基づいて、ステップＳ５０１において入力された情報とのドッキング評価の処理をおこなう（ステップＳ５０４）。
【００３６】
つぎに、ドッキング評価の処理の結果、結合候補であるか否かを判断する（ステップＳ５０５）。そして、結合候補である場合（ステップＳ５０５：Ｙｅｓ）は、その評価値を記憶し（ステップＳ５０６）、ステップＳ５０７へ移行する。一方、結合候補でない場合（ステップＳ５０５：Ｎｏ）は、何もせずに、ステップＳ５０７へ移行する。ただし、このステップＳ５０５の処理はおこなわなくてもよい。したがって、その場合は、ドッキング評価処理をおこなったすべてのタンパク質を、結合候補であるか否かにかかわらず、その評価値を記憶する。
【００３７】
つぎに、ステップＳ５０７において、評価された活性部位情報が、当該タンパク質において最後の活性部位情報であるか否かを判断する（ステップＳ５０７）。そして、最後の活性部位情報でない場合（ステップＳ５０７：Ｎｏ）は、上記入力された情報の中から、未だ評価されていない、つぎの活性部位に関する情報を抽出し（ステップＳ５０８）、ステップＳ５０４に戻る。以後、すべての活性部位情報に対して同様の処理を繰り返しおこない、最後の活性部位情報である場合（ステップＳ５０７：Ｙｅｓ）は、つぎに、入力された当該タンパク質情報がタンパク質情報ＤＢ２００に格納されたタンパク質情報のうちの最後のタンパク質情報であるか否かを判断する（ステップＳ５０９）。
【００３８】
そして、最後のタンパク質情報でない場合（ステップＳ５０９：Ｎｏ）は、つぎのタンパク質情報を入力し（ステップＳ５１０）、ステップＳ５０３へ戻る。そして、ステップＳ５０３〜ステップＳ５０９までの各処理を、タンパク質情報ＤＢ２００に格納されたすべてのタンパク質に対して繰り返しおこない、最後のタンパク質情報であると判断された場合（ステップＳ５０９：Ｙｅｓ）は、評価値を一覧表示し（ステップＳ５１１）、一連の処理を終了する。
【００３９】
また図６は、代謝生成物予測処理に関するフローチャートである。図６のフローチャートにおいて、まず、化合物あるいは生体高分子の三次元立体構造に関する情報を機能予測支援装置に入力する（ステップＳ６０１）。つぎに、代謝反応情報ＤＢ３００に格納されている代謝反応に関する情報のうち、化合物あるいは生体高分子に関連する代謝反応に関する情報を抽出する（ステップＳ６０２）。
【００４０】
つぎに、抽出された代謝反応に関する情報に基づいて、代謝生成物の予測処理をおこなう（ステップＳ６０３）。ここで、代謝生成物が存在するか否かを判断し（ステップＳ６０４）、代謝生成物が存在する場合（ステップＳ６０４：Ｙｅｓ）は、その代謝生成物の構造情報を抽出し（ステップＳ６０５）、その後、抽出した代謝生物構造情報を機能予測支援装置に入力する（ステップＳ６０６）。一方、代謝生成物が存在しない場合（ステップＳ６０４：Ｎｏ）は、何もしない。そして、いずれも図５に示したステップＳ５０２へ移行する。
【００４１】
（タンパク質情報ＤＢの内容）
つぎに、タンパク質情報ＤＢ２００の内容について説明する。図７は、この発明の本実施の形態にかかる機能予測支援装置に接続されるタンパク質情報データベースの概要を示す説明図である。図７において、タンパク質情報ＤＢ２００は、既知文献情報７０１および追加しておこなった追加実験情報７０２の全部または一部の情報と、活性部位情報抽出部７０３によって、既知文献情報７０１および追加実験情報７０２から抽出された活性部位に関する情報をそれぞれか格納している。活性部位に関する情報には、後述する、活性部位ごとのドッキングに必要な情報も含まれる。
【００４２】
ここで、既知文献情報７０１、追加実験情報７０２には、たとえば、タンパク質三次元構造情報、アミノ酸配列情報、タンパク質機能情報、物理化学的性質に関する情報、化合物との相互作用に関する情報、パスウエイ情報などが含まれる。
【００４３】
このようにして構築されたタンパク質情報ＤＢ２００には、予測に十分な数のタンパク質の情報が格納されている。その中には、既知の創薬、ターゲットタンパク質、毒性、副作用に関するタンパク質などが広範囲に収集されることになる。
【００４４】
図８は、タンパク質情報データベースの生成の処理の手順を示すフローチャートである。図８のフローチャートにおいて、タンパク質の各種情報（既知文献情報７０１、追加実験情報７０２）を入力する（ステップＳ８０１）。その後、各タンパク質の活性部位あるいは活性部位候補を抽出する（ステップＳ８０２）。つぎに、抽出された活性部位あるいは活性部位候補ごとにそれぞれ役割・機能情報を収集して付加する（ステップＳ８０３）。
【００４５】
さらに、ドッキングに必要な情報、たとえば、活性部位の形状、静電ポテンシャル、疎水性領域などを創出する（ステップＳ８０４）。そして、それぞれの各情報をタンパク質情報ＤＢ２００に格納し（ステップＳ８０５）、一連の処理を終了する。新たなタンパク質情報が得られた場合に、上記ステップＳ８０１〜Ｓ８０５を繰り返しおこなう。
【００４６】
以上説明したように、本実施の形態によれば、タンパク質の構造と機能情報、ドッキング用データを収録したＤＢコンテンツを得ることができる。また、化合物を各タンパク質にドッキングさせ、どのタンパク質と結合する可能性があるかについての情報提供をすることができる。薬効、副作用、毒性などの可能性を事前に評価する際にこの情報を活用することができる。
【００４７】
さらに類似するタンパク質への結合可能性についての情報提供をすることができる。選択性・特異性の事前評価をする際にこの情報を活用することができる。
【００４８】
このように、新薬開発の初期の工程で、化合物が作用するタンパク質および当該タンパク質の機能を予測することで、直接的な副作用の効果を推測でき、さらに当該タンパク質がパスウエイ上のどこに存在するかを知ることで、間接的な副作用の効果も推測することが可能である。また、化合物そのものの生体内での変化（代謝反応）を考慮に入れることで、さらに予測精度の向上が可能となる。
【００４９】
したがって、本実施の形態によって、製薬業の新薬開発に極めて大きな貢献をすることができる。また、今後、ヒトのすべてのタンパクの機能と構造の解析が進展することは明らかであり、その成果を取り込むことで、さらに本発明の価値を増大させることができる。
【００５０】
本実施の形態においては、創薬について説明したが、本実施の形態を創薬以外でも用いることができ、診断・医療等生体高分子／化合物間の相互作用を予測する必要のある分野での活用も可能である。
【００５１】
なお、本実施の形態における機能予測支援方法は、あらかじめ用意されたコンピュータ読み取り可能なプログラムであってもよく、またそのプログラムをパーソナルコンピュータやワークステーションなどのコンピュータで実行することによって実現される。このプログラムは、ＨＤ、ＦＤ、ＣＤ−ＲＯＭ、ＭＯ、ＤＶＤなどのコンピュータで読み取り可能な記録媒体に記録され、コンピュータによって記録媒体から読み出されることによって実行される。また、このプログラムは、インターネットなどのネットワークを介して配布することが可能な伝送媒体であってもよい。
【００５２】
（付記１）既知または未知の、化合物または生体高分子の構造情報を入力する第１の入力工程と、
複数のタンパク質の活性部位に関する情報を含む構造情報を入力する第２の入力工程と、
前記第１の入力工程によって入力された構造情報と、前記第２の入力工程によって入力された構造情報とに基づいて、前記化合物または生体高分子と前記タンパク質とのドッキングに関する評価値を、前記タンパク質ごとに算出する算出工程と、
前記算出工程によって算出されたドッキングに関する評価値を含むドッキング情報を出力するドッキング情報出力工程と、
を含むことを特徴とする機能予測支援方法。
【００５３】
（付記２）前記ドッキング情報出力工程は、前記算出工程によって算出された評価値に基づいて、前記化合物または生体高分子と結合する候補となるタンパク質のドッキング情報を一覧出力することを特徴とする付記１に記載の機能予測支援方法。
【００５４】
（付記３）前記ドッキング情報出力工程は、前記ドッキング情報とともに、前記タンパク質の毒性または副作用に関する情報を出力することを特徴とする付記２に記載の機能予測支援方法。
【００５５】
（付記４）さらに、前記化合物または生体高分子が代謝された場合の構造を予測する予測工程を含み、
前記第１の入力工程は、前記化合物または生体高分子の構造情報として、前記予測工程によって予測された構造に関する情報を入力することを特徴とする付記１〜３のいずれか一つに記載の機能予測支援方法。
【００５６】
（付記５）既知または未知の、化合物または生体高分子の構造情報を入力させる第１の入力工程と、
複数のタンパク質の活性部位に関する情報を含む構造情報を入力させる第２の入力工程と、
前記第１の入力工程によって入力された構造情報と、前記第２の入力工程によって入力された構造情報とに基づいて、前記化合物または生体高分子と前記タンパク質とのドッキングに関する情報を、前記タンパク質ごとに算出させる算出工程と、
前記算出工程によって算出されたドッキングに関する情報を出力させるドッキング情報出力工程と、
をコンピュータに実行させることを特徴とする機能予測支援プログラム。
【００５７】
（付記６）既知または未知の、化合物または生体高分子の構造情報の入力を受け付ける第１の入力手段と、
複数のタンパク質の活性部位に関する情報を含む構造情報の入力を受け付ける第２の入力手段と、
前記第１の入力手段によって入力が受け付けられた構造情報と、前記第２の入力手段によって入力が受け付けられた構造情報とに基づいて、前記化合物または生体高分子と前記タンパク質とのドッキングに関する情報を、前記タンパク質ごとに算出する算出手段と、
前記算出手段によって算出されたドッキングに関する情報を出力するドッキング情報出力手段と、
を備えたことを特徴とする機能予測支援装置。
【００５８】
（付記７）ドッキング用データを収録したデータベースと接続し、
前記第２の入力手段は、前記データベースから情報の入力を受け付けることを特徴とする付記６に記載の機能予測支援装置。
【００５９】
（付記８）前記データベースは、ドッキングに必要な情報として、活性部位の形状、静電ポテンシャルおよび疎水性領域の少なくとも一つを含むことを特徴とする付記７に記載の機能予測支援装置。
【００６０】
【発明の効果】
以上説明したように、この発明によれば、タンパク質間の特異性およびタンパク質内の活性部位の特異性を迅速かつ効率的に検証することで、化合物の発見以降の新薬開発の工程を効率的におこなうことで、効果的な新薬開発を支援することが可能な機能予測支援方法、機能予測支援プログラム、機能予測支援装置が得られるという効果を奏する。
【図面の簡単な説明】
【図１】この発明の本実施の形態にかかる機能予測支援装置のハードウエア構成の一例を示すブロック図である。
【図２】この発明の本実施の形態にかかる機能予測支援装置の機能的構成を示す説明図である。
【図３】この発明の本実施の形態にかかる機能予測支援装置の別の機能的構成を示す説明図である。
【図４】出力結果の一覧の一例を示す説明図である。
【図５】この発明の本実施の形態にかかる機能予測支援装置の処理の手順を示すフローチャートである。
【図６】この発明の本実施の形態にかかる機能予測支援装置の代謝生成物予測処理の手順を示すフローチャートである。
【図７】この発明の本実施の形態にかかる機能予測支援装置に接続されるタンパク質情報データベースの概要を示す説明図である。
【図８】タンパク質情報データベースの生成の処理の手順を示すフローチャートである。
【符号の説明】
２００  タンパク質情報ＤＢ
２０１  化合物／生体高分子構造情報入力部
２０２  タンパク質情報入力部
２０３  タンパク質−化合物／高分子ドッキング評価部
２０４  ドッキング情報出力部
３００  代謝反応情報ＤＢ
３０１  代謝生成物予測部
７０１  既知文献情報
７０２  追加実験情報
７０３  活性部位情報抽出部
【図１】
2004152029.tif 000003
【図２】
2004152029.tif 000004
【図３】
2004152029.tif 000005
【図４】
2004152029.tif 000006
【図５】
2004152029.tif 000007
【図６】
2004152029.tif 000008
【図７】
2004152029.tif 000009
【図８】
2004152029.tif 000010